(57)【要約】手術用吸引装置は、筐体と混合装置とを備え、ａ）前記筐体は、内部チャンバを画成し、入口と出口を備えたものであり、ｉ）前記入口は、患者から抽出された物質を中空のチップを介して受け取るためのものであって、前記中空のチップが前記物質を患者の手術部位から受け取るための一つ以上の吸引孔を備えたものであり、ii）前記出口は、前記筐体を吸引源に連結するためのものであって、それを介した物質の引き込みを可能にするものであり、ｂ）前記混合装置は、使用中に前記入口から前記出口へと前記チャンバを通過する物質を撹拌することにより前記物質が前記出口に詰まるのを防止するための、チャンバ内部に配置された一つ以上の混合部材を備えたものである。【選択図】図１
2015536767.tif 000002
【特許請求の範囲】
【請求項１】
筐体と混合装置とを備え、
ａ）前記筐体は、内部チャンバを画成し、入口と出口を備えたものであり、
ｉ）前記入口は、患者から抽出された物質を中空のチップを介して受け取るためのものであって、前記中空のチップが前記物質を患者の手術部位から受け取るための一つ以上の吸引孔を備えたものであり、
ii）前記出口は、前記筐体を吸引源に連結するためのものであって、それを介した物質の引き込みを可能にするものであり、
ｂ）前記混合装置は、使用中に前記入口から前記出口へと前記チャンバを通過する物質を撹拌することにより前記物質が前記出口に詰まるのを防止するための、チャンバ内部に配置された一つ以上の混合部材を備えたものである
ことを特徴とする手術用吸引装置。
【請求項２】
前記チップは、前記入口に取り付けられている
ことを特徴とする請求項１に記載の手術用吸引装置。
【請求項３】
前記チップは、吸引管を介して前記入口に連結されている
ことを特徴とする請求項１に記載の手術用吸引装置。
【請求項４】
前記筐体は、手術用吸引装置のハンドルを画成している
ことを特徴とする請求項１から請求項３のいずれか一項に記載の手術用吸引装置。
【請求項５】
前記出口は、前記吸引源に接続するためのコネクタを備える
ことを特徴とする請求項１から請求項４のいずれか一項に記載の手術用吸引装置。
【請求項６】
前記混合装置は、前記混合部材を回転させるように構成されている
ことを特徴とする請求項１から請求項５のいずれか一項に記載の手術用吸引装置。
【請求項７】
前記混合装置は、
ａ）前記一つ以上の混合部材を取り付けるためのシャフトと、
ｂ）前記シャフトを回転駆動するためのモータと
を備える
ことを特徴とする請求項６に記載の手術用吸引装置。
【請求項８】
前記一つ以上の混合部材は、
ａ）半径方向に延びる突起、
ｂ）ブレード、
ｃ）らせんワイヤ、
のうちの少なくとも一つである
ことを特徴とする請求項７に記載の手術用吸引装置。
【請求項９】
前記モータは、電気モータであり、
前記混合装置は、前記モータを電気的に駆動するためのバッテリーを備える
ことを特徴とする請求項７又は請求項８に記載の手術用吸引装置。
【請求項１０】
前記モータ及び前記バッテリーは、封止された筐体内に共に設けられる
ことを特徴とする請求項９に記載の手術用吸引装置。
【請求項１１】
前記バッテリーは、前記チャンバの外側に配置され、配線により前記モータに接続されている
ことを特徴とする請求項１０に記載の手術用吸引装置。
【請求項１２】
前記バッテリーから前記モータへの電力の供給を制御するための制御部を備える
ことを特徴とする請求項１０から請求項１２のいずれか一項に記載の手術用吸引装置。
【請求項１３】
前記制御部は、使用者が手動で操作できるように前記筐体の外側に配置されるスイッチを備える
ことを特徴とする請求項１２に記載の手術用吸引装置。
【請求項１４】
前記制御部は、定期的にモータに電力を投入するように構成されている
ことを特徴とする請求項１２又は請求項１３に記載の手術用吸引装置。
【請求項１５】
前記混合装置は、方位センサを備え、
前記制御部は、前記手術用吸引装置が所定の方位を向いているときに、モータに電源を投入するように構成されている
ことを特徴とする請求項１２から請求項１４のいずれか一項に記載の手術用吸引装置。
【請求項１６】
前記チップは、前記筐体に着脱可能である
ことを特徴とする請求項１から請求項１５のいずれか一項に記載の手術用吸引装置。
【請求項１７】
前記筐体は、前記入口を備える主筐体部品と、前記出口を備えるベース部品とで形成されている
ことを特徴とする請求項１から請求項１６のいずれか一項に記載の手術用吸引装置。
【請求項１８】
前記主筐体部品と前記ベース部品とは、ねじ込み式で接続される
ことを特徴とする請求項１７に記載の手術用吸引装置。
【請求項１９】
前記混合装置は、前記モータに動力を供給するための電気回路を備え、
前記電気回路は、前記主筐体部品と前記ベース部品とがねじ込み式で接続されているときを除き、開いている
ことを特徴とする請求項１８に記載の手術用吸引装置。
【請求項２０】
前記主筐体部品及び前記ベース部品のそれぞれの一部分は、前記主筐体部品及び前記ベース部品がねじ込み式で接続されているときに係合して前記電気回路を閉じる電気接点対を備える
ことを特徴とする請求項１９に記載の手術用吸引装置。
【請求項２１】
前記混合装置を支持するために前記筐体に取り付けられて前記チャンバ内に配置される支持構造体を備える
ことを特徴とする請求項１から請求項２０のいずれか一項に記載の手術用吸引装置。
【請求項２２】
前記支持構造体は、前記筐体に取り付けられる一つ以上の支持部材によって前記チャンバ内に支持される取り付け台を備え、
前記混合装置は、前記取り付け台に取り付けられる
ことを特徴とする請求項２１に記載の手術用吸引装置。
【請求項２３】
前記支持構造体は、複数の支持部材を備え、
前記支持部材は、互いに離間して、物質を通過させる間隙を画成する
ことを特徴とする請求項２２に記載の手術用吸引装置。
【請求項２４】
前記チップは、手術部位へ挿入することにより物質を前記手術部位から受け取るためのものであり、
前記筐体は、使用中に前記筐体が前記手術部位の外側に配置されて前記患者に隣接するように前記チップに取り付けられる
ことを特徴とする請求項１から請求項２３のいずれか一項に記載の手術用吸引装置。
【請求項２５】
使用中に流体を前記チャンバに引き込むことができるようにする流入口を備える
ことを特徴とする請求項１から請求項２４のいずれか一項に記載の手術用吸引装置。
【請求項２６】
前記流入口は、流体源を前記流入口に接続して前記流体を供給することができるように構成されている
ことを特徴とする請求項２５に記載の手術用吸引装置。
【請求項２７】
前記流入口は、前記筐体の壁を貫通する流体路を画成している
ことを特徴とする請求項２５又は請求項２６に記載の手術用吸引装置。
【請求項２８】
前記流入口は、前記筐体と一体に形成されている
ことを特徴とする請求項２５から請求項２７のいずれか一項に記載の手術用吸引装置。
【請求項２９】
前記流入口を通る流体の流れを制御するためのバルブを備える
ことを特徴とする請求項２５から請求項２８のいずれか一項に記載の手術用吸引装置。
【発明の詳細な説明】
【技術分野】
【０００１】
本発明は、手術用吸引装置に関する。
【背景技術】
【０００２】
本明細書における先行刊行物（又はそれから得られる情報）若しくは既知の事項への参照は、その先行刊行物（又はそれから得られる情報）若しくは既知の事項が、本明細書が関係する試みの分野における周知の一般的な知識の一部を構成するという、承認や自白あるいはいかなる形式の示唆としても受け取られないし受け取られるべきではない。
【０００３】
様々な外科的処置において、体液及び組織の物質を患者の体の手術部位から除去することが必要になる。この除去は、吸引を用いて行われることが多い。手術用吸引装置は、吸引管に連結された吸引チップを備えている場合があり、この吸引管は、壁面吸引器などに連結されている。既存の吸引チップには、体液や組織を手術部位から、吸引管への接続も提供する吸引ハンドル内へ引き込むための細長いカニューレを備えるものもある。カニューレは、特定の用途に応じて異なる形状を使用できるように、交換可能な場合がある。
【０００４】
手術用吸引装置で一般的に直面する問題の一つは、吸引チップ又は吸引管の詰まりであり、これは、吸引の減少又は喪失を招く可能性がある。目詰まりは、固形粒子が吸引チップ又は吸引管内の流れを妨げることによって起こりうる。既存の吸引装置には、妨げを防止するように固形粒子を捕捉するための取り外し可能なフィルタを備えるものがある。そのようなフィルタは、吸引ハンドルの中にある空洞内に設けられる場合がある。
【０００５】
しかしながら、吸引チップは、フィルタを使用しても、血餅や軟部組織によって詰まる場合がある。固形粒子を体から取り除いていなくても、長時間使用すると、血餅及び／又は軟部組織の物質が蓄積することにより、目詰まりが発生する可能性がある。フィルタは洗浄や交換のために取り外すことができるが、これによって、処置の最中に吸引の使用がさらに中断されることになる。
【０００６】
手術用吸引装置における多くの開発は、フィルタの構成を改良してフィルタの洗浄又は交換の間の使用時間を長くすること、及び／又は、ターンアラウンド・タイムを短くするかあるいは吸引の中断を不要にすることでフィルタの洗浄又は交換を容易にすることに注力されている。
【０００７】
米国特許第４８８６４９２号明細書は、環状チャンバを画成する筒状本体部を有し、中空のチップ部及び中空のフィルタ部材を本体部の中に備えた手術用吸引チップを開示している。フィルタ部材の複数の開口は、フィルタ部材の内部を環状チャンバと接続している。不要な物質は、チップ部からフィルタ部材の中空の内部へ、それから環状チャンバへ、そして最終的に、接続された吸引管へと流れる。この構成は、吸引チップが完全に詰まる前に詰まる多数の開口を設けることにより、固形粒子の蓄積による詰まりを遅らせるには効果があるが、実際には、その比較的小さな開口が血餅及び軟部組織により詰まりやすいことが分かっている。したがって、フィルタの洗浄又は交換が頻繁に必要となり得る。
【０００８】
英国特許第２４０３９０７号明細書は、側面液体出口を有する筒状本体と、吸引管を取り外す必要なく本体の後部から挿入又は取り外しできるフィルタとを含む、フィルタ付き手術用吸引チップを開示している。フィルタは、交換や目詰まりを取り除くために、管やキャップを外す必要なく本体から取り外すことができる。この機構は、簡易なフィルタの取り外しと交換を容易にすることで吸引の中断を減らそうとするものであるが、実際の詰まりの頻度に対しては、著しい効果はない。
【０００９】
米国特許第６４０６４５４号明細書は、プローブチップと、プローブチップと流体連通したフィルタユニットと、フィルタユニットと流体連通した吸引源とを備える、デブリ（ｄｅｂｒｉｓ）を手術部位から除去するための吸引プローブシステムを開示している。フィルタユニットは、円筒状フィルタを備え、その円筒状フィルタは、吸引源に取り付けられた内側チャンバと、大きすぎて円筒状フィルタの孔を通過できないデブリ粒子を蓄積する外面とを有する。フィルタユニットは、端部が開放されたシリンダを有するスライダをさらに備え、そのスライダが、円筒状フィルタの外側に沿って滑ることにより、蓄積したデブリ粒子を取り除き、これらのデブリ粒子をフィルタユニット内の貯留容器へ押しやる。これは、必要に応じてデブリ粒子をフィルタから機械的に取り除くことにより、ある目詰まりは吸引を中断せずに取り除きうるが、血餅又は軟部組織の蓄積による目詰まりを防止する効果には限界があることもある。
【発明の概要】
【発明が解決しようとする課題】
【００１０】
上記の従来技術の例は、詰まりの発生までの動作期間を延長する、又は、運用上の詰まりの影響を低減することができるが、いずれも血餅又は軟部組織による詰まりの問題に効果的に対処していない。したがって、血餅又は軟部組織による詰まりへの耐性を向上させた手術用吸引装置に対する要求が依然としてある。
【課題を解決するための手段】
【００１１】
広い形態において、本発明は、
筐体と混合装置とを備え、
ａ）前記筐体は、内部チャンバを画成し、入口と出口を備えたものであり、
ｉ）前記入口は、患者から抽出された物質を中空のチップを介して受け取るためのものであって、前記中空のチップが前記物質を患者の手術部位から受け取るための一つ以上の吸引孔を備えたものであり、
ii）前記出口は、前記筐体を吸引源に連結するためのものであって、それを介した物質の引き込みを可能にするものであり、
ｂ）前記混合装置は、使用中に前記入口から前記出口へと前記チャンバを通過する物質を撹拌することにより前記物質が前記出口に詰まるのを防止するための、チャンバ内部に配置された一つ以上の混合部材を備えたものである
ことを特徴とする手術用吸引装置を提供することを目的とするものである。
【００１２】
典型的には、前記チップは、前記入口に取り付けられている。
【００１３】
あるいは、前記チップは、吸引管を介して前記入口に連結されている。
【００１４】
典型的には、前記筐体は、手術用吸引装置のハンドルを画成している。
【００１５】
典型的には、前記出口は、前記吸引源に接続するためのコネクタを備える。
【００１６】
典型的には、前記混合装置は、前記混合部材を回転させるように構成されている。
【００１７】
典型的には、前記混合装置は、
ａ）前記一つ以上の混合部材を取り付けるためのシャフトと、
ｂ）前記シャフトを回転駆動するためのモータと
を備える。
【００１８】
典型的には、前記一つ以上の混合部材は、
ａ）半径方向に延びる突起、
ｂ）ブレード及び
ｃ）らせんワイヤ
のうちの少なくとも一つである。
【００１９】
典型的には、前記モータは、電気モータであり、前記混合装置は、前記モータを電気的に駆動するためのバッテリーを備える。
【００２０】
典型的には、前記モータ及び前記バッテリーは、封止された筐体内に共に設けられる。
【００２１】
あるいは、前記バッテリーは、前記チャンバの外側に配置され、配線により前記モータに接続されている。
【００２２】
典型的には、前記手術用吸引装置は、前記バッテリーから前記モータへの電力の供給を制御するための制御部を備える。
【００２３】
典型的には、前記制御部は、使用者が手動で操作できるように前記筐体の外側に配置されるスイッチを備える。
【００２４】
典型的には、前記制御部は、定期的にモータに電力を投入するように構成されている。
【００２５】
典型的には、前記混合装置は、方位センサを備え、前記制御部は、前記手術用吸引装置が所定の方位を向いているときに、モータに電源を投入するように構成されている。
【００２６】
典型的には、前記チップは、前記筐体に着脱可能である。
【００２７】
典型的には、前記筐体は、前記入口を備える主筐体部品と、前記出口を備えるベース部品とで形成されている。
【００２８】
典型的には、前記主筐体部品と前記ベース部品とは、ねじ込み式で接続される。
【００２９】
典型的には、前記混合装置は、前記モータに動力を供給するための電気回路を備え、前記電気回路は、前記主筐体部品と前記ベース部品とがねじ込み式で接続されているときを除き、開いている。
【００３０】
典型的には、前記主筐体部品及び前記ベース部品のそれぞれの一部分は、前記主筐体部品及び前記ベース部品がねじ込み式で接続されているときに係合して前記電気回路を閉じる電気接点対を備える。
【００３１】
典型的には、前記手術用吸引装置は、前記混合装置を支持するために前記筐体に取り付けられて前記チャンバ内に配置される支持構造体を備える。
【００３２】
典型的には、前記支持構造体は、前記筐体に取り付けられる一つ以上の支持部材によって前記チャンバ内に支持される取り付け台を備え、前記混合装置は、前記取り付け台に取り付けられる。
【００３３】
典型的には、前記支持構造体は、複数の支持部材を備え、複数の前記支持部材は、互いに離間して、物質を通過させる間隙を画成する。
【００３４】
典型的には、前記チップは、手術部位へ挿入することにより物質を前記手術部位から受け取るためのものであり、前記筐体は、使用中に前記筐体が前記手術部位の外側に配置されて前記患者に隣接するように前記チップに取り付けられる。
【００３５】
典型的には、前記手術用吸引装置は、使用中に流体を前記チャンバに引き込むことができるようにする流入口を備える。
【００３６】
典型的には、前記流入口は、流体源を前記流入口に接続して前記流体を供給することができるように構成されている。
【００３７】
典型的には、前記流入口は、前記筐体の壁を貫通する流体路を画成している。
【００３８】
典型的には、前記流入口は、前記筐体と一体に形成されている。
【００３９】
典型的には、前記手術用吸引装置は、前記流入口を通る流体の流れを制御するためのバルブを備える。
【図面の簡単な説明】
【００４０】
本発明の実施形態を添付の図面を参照して以下に説明する。
【００４１】
[図１]手術用吸引装置の実施形態の模式的な断面図である。
【００４２】
[図２Ａ]手術用吸引装置の第二実施形態の模式的な側面図である。
【００４３】
[図２Ｂ]図２Ａの手術用吸引装置の模式的な断面図である。
【００４４】
[図３Ａ]図２Ａの手術用吸引装置の主筐体部品の模式的な断面図である。
【００４５】
[図３Ｂ]図３Ａの主筐体部品の模式的な端部図である。
【００４６】
[図４Ａ]図２Ａの手術用吸引装置のベース部品の模式的な端部図である。
【００４７】
[図４Ｂ]図４Ａのベース部品の模式的な断面図である。
【００４８】
[図５Ａ]図２Ａの手術用吸引装置の支持部品の模式的な端部図である。
【００４９】
[図５Ｂ]図５Ａの支持部品の模式的な断面図である。
【００５０】
[図６Ａ]手術用吸引装置の第三実施形態の模式的な側面図である。
【００５１】
[図６Ｂ]図６Ａの手術用吸引装置の模式的な断面図である。
【発明を実施するための形態】
【００５２】
以下、手術用吸引装置１００の一例を、図１を参照して説明する。
【００５３】
手術用吸引装置１００は一般に、内部チャンバ１１１を画成する筐体１１０を備える。筐体は、入口１２０と出口１３０を備える。入口１２０は、一つ以上の吸引孔１５１を備えたチップ１５０を介して、患者から抽出された物質を受け入れるためのものである。出口１３０は、筐体１１０を吸引源（図示せず）に連結するためのものであり、それを介した物質の引き込みを可能にする。
【００５４】
出口１３０が例えば吸引管を介して吸引源に連結されると、物質は、吸引によって一つ以上の吸引孔１５１に引き込まれてチップ１５０を介して筐体１１０の入口１２０へと運搬され、これにより、物質を患者の手術部位から抽出することができる。そして、患者から抽出された物質は、入口１２０から出口１３０へとチャンバ１１１を通過することができる。
【００５５】
上記の物質には、外科的処置の最中に発生する生体物質又は手術のデブリが含まれることが理解されよう。例えば、上記物質は、血液、血餅、唾液、その他の体液、組織、骨片、手術用洗浄液、セメントなどを含む。
【００５６】
手術用吸引装置１００は、入口１２０から出口１３０へとチャンバ１１１を通過する物質を撹拌するため、チャンバ１１１内部に配置された一つ以上の混合部材１４１を備えた混合装置１４０をさらに備え、それによって、物質が出口１３０を詰まらせるのを防止する。
【００５７】
混合部材１４１がチャンバ１１１内の上記物質を撹拌すると、これにより、上記物質の異なる成分同士が互いに相対的に移動するので、物質の均質性が向上し、それによって、上記物質のうち、従来の手術用吸引装置において目詰まりを起こしやすい固形又はゼリー状成分の蓄積の可能性を実質的に低下させる。この撹拌動作には、さらに、血液の凝固を防止する作用もある。
【００５８】
手術部位から除去される物質に応じて、混合部材１４１は、物質の成分を均質化、混合、混和、液化、乳化、細断、又は分解するために使用することができる。
【００５９】
例えば、血液が手術部位から除去される外科的処置においては、血餅及びその他のデブリがチャンバ１１１内に蓄積する可能性があり、介入しなければ、これによって手術用吸引装置１００の詰まりが発生する可能性がある。しかしながら、混合部材１４１を使用することによって、凝血塊を乳化させ、患者から抽出した物質をおおむね液体状態に保ち、物質を閉塞のリスクが大幅に低下した状態で出口１３０を通過させることによりチャンバ１１１から排出させることができる。
【００６０】
別の例では、患者から抽出された物質中の、除去された軟部組織が、混合部材１４１によりさらに小さな粒子に細断又は分解され、チャンバ１１１を通過するにつれて物質の流れの中にさらに均一に分散されるようにすることにより軟部組織のチャンバ１１１内への望ましくない蓄積を防止するようにしても良い。物質中の分解できない固形粒子でも、混合部材１４１による撹拌によって誘発される物質中の動きにより、物質の流れの中にさらに均一に分散させることができ、それによって、もし固形粒子をチャンバ１１１内に留まらせていたら本来発生したはずの閉塞を防止することができる。
【００６１】
上記の事柄を考慮すると、上記の手術用吸引装置１００の機構は、目詰まり又は閉塞の発生を抑制して、手術用吸引装置１００及び手術用吸引装置１００を吸引源に連結するのに使用されているすべての上流部材の開通性を維持することにより、外科的処置の間中、吸引を有効にするのに役立つことが理解されよう。
【００６２】
適当な吸引源としては、従来の吸引装置と共に使用するために病院で一般的に採用されている種類の壁面吸引器又は可搬式吸引ポンプが挙げられる。出口１３０としては、吸引源への接続用に構成されたコネクタが挙げられる。手術用吸引装置１００は、典型的には、一般的に軟質の透明な物質で形成されている配管を用いて吸引源に接続されるが、任意の適当な接続手段を用いて良い。
【００６３】
容器を吸引源に設け、又は、手術用吸引装置１００と吸引源との間の中間位置に接続して、手術部位から除去されて吸引源に向かって運搬される物質を収集するようにしても良い。当業者は、適当な操作を可能にしながら、吸引源を設けてこれを手術用吸引装置１００に接続するために、様々な一般的構成を使用できることを理解するであろう。
【００６４】
患者から物質を抽出するために使用するチップ１５０は、様々な構成を持ち得ることが理解されよう。チップ１５０は、細長く中空の部材の形で設けても良く、入口１２０と流体連通して設けることができる。患者から物質を効率的かつ安全に抽出するために、チップ１５０は、硬質又は軟質の部材として形成しても良く、手術部位の性質に応じて様々なチップ形状を使用して良い。一例として、図１に示すように、チップ１５０は、入口１２０に直接連結しても良い。あるいは、チップ１５０は、吸引管を介して入口に連結しても良い。
【００６５】
チップ１５０は、取り外し可能なものであっても良く、その場合は、例えば吸引装置１００の用途に応じて、異なる種類のチップ１５０を筐体１１０に嵌めることができる。このようにすることで、吸引装置１００は、異なるチップを備えたキットの一部として提供することができ、単一のキットが幅広い様々な処置において使用できるようになる。あるいは、チップ１５０は、筐体１１０の一部として一体的に形成されていても良い。
【００６６】
一例として、筐体１１０は、手術用吸引装置１００のハンドルを画成しても良い。例えば、筐体１１０の外形は、使用者が片手に筐体１１０を握り、必要に応じて手術用吸引装置１１０を保持及び移動できるように選択しても良い。チップ１５０を筐体に強固に取り付ければ、使用者が筐体１１０を握って移動させることによって、あるいは操作することによって、チップ１５０を移動しても良いことが理解されよう。これにより、使用者は、筐体１１０を手術部位の外で保持しながら、チップ１５０の一つ以上の吸引孔１５１を患者の手術部位の中に位置させることができる。
【００６７】
本例では、混合装置１４２は、混合部材１４１を回転させることによって、混合部材１４１でチャンバ１１１を通過する物質を撹拌するように構成されている。図１に示すように、混合装置１４０は、一つ以上の混合部材１４１を取り付けるためのシャフト１４２と、シャフト１４２を回転駆動するためのモータ１４３とを備えても良い。したがって、モータ１４３を作動させると、混合部材１４１は回転する。本例では、モータ１４３は、混合部材１４１と共にチャンバ１１１内部に位置する。しかしながら、他の実施形態では、モータ１４３をチャンバ１１１の外側に位置させても良く、その場合、チャンバ１１１内部に位置する混合部材１４１をモータ１４３によって駆動できるように、シャフト１４２は筐体１１０の壁を貫通する。
【００６８】
適当な混合部材１４１は、患者から抽出しようとする物質の種類に応じた様々な構成で設けて良い。例えば、混合部材１４１は、シャフト１４２に取り付けられた、半径方向に延びる一つ以上の突起又はブレードを備えても良い。使用するブレードの数は、例えば、用途や行おうとする処置に伴う閉塞の発生率に応じて、任意に決めて良い。
【００６９】
鈍い突起で十分な攪拌が得られる場合もあるが、鋭利な切削面を有するブレードが物質中の組織を細断又は分解するのに特に適当な場合もある。あるいは、らせんワイヤをシャフト１４２に取り付けて、チャンバ１１１内の物質を適切に攪拌するようにしても良い。
【００７０】
混合部材１４１は、金属又は比較的硬いプラスチックで適切に形成しても良い。混合部材１４１の形状と構造は、混合部材１４１が過度に変形することなく、抽出された典型的な物質を通過して回転できるように選択しなければならないが、混合部材１４１が骨片などの固形粒子と衝突したときに折れずにそれるような、ある程度の柔軟性を持つ混合部材１４１を使用することも望ましい。
【００７１】
モータ１４３は、電気モータであっても良く、したがって、電源によって駆動されても良いが、空気モータなど、他の種類のモータを使用しても良いことが理解されよう。一例として、モータ１４３は、吸引源に接続されたときに動作するように構成しても良い。例えば、モータが、空気取り入れ口と吸引出口の間に配置されたタービンを備え、空気が吸引によって空気取り入れ口に引き込まれてタービンを通過するときにタービンが回転するようにしても良い。その場合、タービンがシャフト１４２と混合部材１４１とを回転させる。
【００７２】
電気モータの場合、壁の電源コンセントなど、外部電源に接続するなどして、任意の電源を使用して良い。従来の方法で、混合装置１４０は、外部の電源への接続を必要とせずにモータ１４３を電気的に駆動するためのバッテリー１４４を備えても良い。バッテリー１４４は、電気配線１４５によってモータ１４３に接続されても良い。図１に示す例では、バッテリー１４４は、チャンバ１１１の外側で筐体１１０に取り付けられたバッテリー室１１２内に設けられており、モータ１４３から隔離されている。したがって、配線１４５を筐体１１０の適切に封止された開口に通しても良く、あるいは、筐体１１０が複数の部品で形成されている場合は、電気接点を筐体の部品間の接合箇所に設け、部品が結合されて完全な筐体を形成すると電気回路が形成されるようにしても良い。
【００７３】
この例では、混合装置１４０は、配線１４５に接続されて使用者がスイッチ１４６を手動で操作できるように筐体１１０の外側に配置されたスイッチ１４６を備える。この場合、スイッチ１４６は、突出したバッテリー室１１２に搭載される。
【００７４】
手術用吸引装置１００の使用者がスイッチ１４６を操作すると、モータ１４３は、選択的に作動又は停止される。したがって、スイッチ１４６により、必要に応じて混合部材１４１を回転させて、手術用吸引装置１００の詰まりを防止することができる。例えば、通常はモータ１４３を作動させずに手術用吸引装置１００を使用し、血餅がチャンバ１１１内部に蓄積し始めたら、使用者がスイッチ１４５を操作することによってモータ１４３を作動させるとともに混合部材１４１を回転させて血餅を乳化させ、これにより詰まりの発生率を低下させるようにしても良い。
【００７５】
この例ではスイッチ１４５が設けられているが、モータ１４３の作動を制御する他の手段を用いても良く、その他の例については後述する。
【００７６】
手術用吸引装置１００の構成部品は、ポリ塩化ビニルやＡＳ樹脂など、医療用途に適したプラスチック材料で形成しても良い。好ましくは、少なくとも筐体１１０を形成するために使用する物質が実質的に透明で、使用者がチャンバ１１１を運搬される物質を観察できるようになっている。したがって、使用者は、手術用吸引装置１００を詰まらせる可能性のある血餅、組織、及びその他の物質の蓄積量を監視して、モータ１４３を適宜作動させることができる。
【００７７】
チャンバ１１１内に配置された混合装置１４０の構成部品は、チャンバ１１１内部で筐体１１０に接続された付加的な支持構造体を用いてチャンバ１１１内部に支持されても良い。この例では、支持フランジ１１３が筐体１１０の側壁からチャンバ１１１内部へ延びており、モータ１４３は支持フランジ１１３に取り付けられる。この支持構造体は、物質が入口１２０から出口１３０へと支障なくチャンバ１１１を通過できるように構成しなければならない。支持構造体の別の構成については後述する。
【００７８】
次に、図２Ａ、２Ｂを参照して、手術用吸引装置２００の別の例を説明し、他の選択可能な特徴部分を明らかにする。前述の例と類似の特徴部分は、類似の参照番号を用いて識別する。
【００７９】
この場合、チップ１５０は、筐体１１０に着脱可能な、中空かつ概ね管状の部材として設けられる。この例ではチップ１５０は、剛性構造を持ち、第一の部分２５１と、第一の部分２５１に対してある角度に向けられた第二の部分２５２とを備える。この角度を付けた構成によって、使用者は、自然な姿勢で筐体１１０を保持しながら、チップ１５０を手術部位に導入することができる。
【００８０】
チップ１５０は、いずれの端部２５３、２５４も筐体１１０に接続できるように、同様の開口１５１をチップ１５０の両端部２５３、２５４に設けて、リバーシブルにしても良い。この例では、チップ１５０の第一及び第二の部分２５１、２５２の長さが異なるので、チップ１５０を反転させると、チップ１２０の手術部位への挿入深さを変えることができる。チップ１５０は、ポリ塩化ビニルなど、比較的硬質の透明なプラスチックで形成されるのが好ましい。
【００８１】
チップ１５０は、端部２５３、２５４を筐体１１０に形成された円筒状のレセプタクル２２１に挿入することによって、筐体１１０に連結される。レセプタクル２２１は、チャンバ１１１と連通しており、したがって、入口１２０を効果的に画成する。チップ１５０の端部２５３、２５４及び筐体１１０のレセプタクル２２１のそれぞれの外径は、チップ１５０の端部２５３、２５４をレセプタクル２２１に押込で挿入できて、チップ１５０が、使用中はレセプタクル２２１にしっかりと保持されるが、必要に応じて簡単に取り外せるように選択しても良い。しかしながら、クリップ嵌合、摩擦勘合、締まりばめなど、他の接続方法を使用できることは理解されよう。
【００８２】
図２Ａ及び対応する図２Ｂの断面図からわかるように、チップ１５０の各端部２５３、２５４は、主開口１５１と、各端部２５３、２５４に隣接する複数の副開口２５５とを備える。この例では、四つの副開口２５５が、チップ１５０の側壁を貫通する孔として形成されている。主開口１５１が塞がれたときは副開口２５５を介して圧力を解放することができるので、副開口２５５は、軟部組織が主開口１５１に引き込まれた場合に、軟部組織の外傷のリスクを下げるのに役立つ。
【００８３】
この例では、筐体１１０は、結合されて共同で内部チャンバ１１１を画成する二つの別個の部品で形成される。具体的には、筐体１１０は、主筐体部品２６０とベース部品２７０とで形成される。
【００８４】
図３Ａ、３Ｂに、主筐体部品２６０をさらに詳細に示す。主筐体部品２６０は、チップ１５０の接続を可能にするためのレセプタクル２２１を備える先端部２６１と、チャンバ１１１の側壁を画成する細長く概ね円筒状の部分２６２とを備える。円筒状部分２６２は、使用中、使用者が握る、筐体１１０のハンドルを形成しても良い。したがって、円筒状部分２６２は、たとえば、指用の凹み、隆起部、ディンプルなど、握りやすくするための外的な特徴を備えていても良い。
【００８５】
図４Ａ、４Ｂに、ベース部品２７０をさらに詳細に示す。ベース部品２７０は、レセプタクル２２１と反対側のチャンバ１１１の端部を閉じるためのキャップ部２７１を備える。ベース部品２７０を主筐体部品２６０の円筒状部分２６２に接続できるように、キャップ部２７２から裾部２７１が延びている。ベース部品２７０は、吸引源をベース部品２７０に設けられた出口１３０に連結できるように、コネクタ２７５をさらに備える。
【００８６】
本例では、主筐体部品２６０及びベース部品２７０は、主筐体部品２６０の円筒状部分２６２の外面及びベース部品２７０の裾部２７２の内面に設けられた対応するねじ部を介して、ねじ込み式で互いに接続することができる。あるいは、主筐体部品２６０及びベース部品２７０は、封止された接続が得られるように、適当な寸法入れ及び／又は材料選択によって押込で、又は、摩擦勘合や締まりばめなど他の適当な方法で接続しても良い。主筐体部品２６０及びベース部品２７０はそれぞれ、使用者がチャンバ１１１を通過する物質を観察できるように、透明なプラスチック材料で形成されることが好ましい。典型的には、両部品は同じ材料で形成されるが、このことは必須ではない。
【００８７】
上記したように、少なくとも、混合装置１４０の混合部材１４１はチャンバ１１１内に配置される。この例では、シャフト１４２、モータ１４３、及びバッテリー１４４はそれぞれ、チャンバ１１１内部に配置される。具体的には、モータ１４３及びバッテリー１４４は共に、単一のケース２４１内に設けられる。シャフト１４２は、チャンバ１１１を通過する物質を攪拌するために混合部材１４１が適切な位置に配置されるように、ケース２４１に形成された開口から突出する。
【００８８】
この例では、ケース２４１は、ベース部品２７０に接続された支持部品２８０によって、チャンバ１１１内部に支持されている。図５Ａ、５Ｂに、支持部品２８０をさらに詳細に示す。支持部品２８０は、筐体２４１を取り付けるための取り付け台２８１を備え、一つ以上の支持部材２８２によって、チャンバ１１１内部に支持されている。
【００８９】
支持部材２８２は互いに離間して間隙２８３を画成し、物質がチャンバ１１１から支持部品２７０を通過してコネクタ１３０へと流れるのを可能にしている。患者から抽出される粒子が間隙２８３に詰まるのを防止するため、間隙２８３が少なくともチップ１５０の主開口１５１と同じ大きさの開口を画成するようにする。
【００９０】
ケース２４１を支持するための支持構造体の他の適当な構成や、チャンバ１１１内部に配置される混合装置１４０の構成部品は、任意のものを使用できることが理解されよう。一例として、混合装置１４０の構成部品を筐体１１０に直接取り付けても良く、これにより、個々の支持構造体部品が不要になる。
【００９１】
バッテリー１４４をモータ１４３と共に設けるので、電力をバッテリー１４４からモータ１４３へ直接供給することができる。しかしながら、混合装置１４０は、モータ１４３を作動させるタイミングを使用者が決定できるようにする手段も備えることが好ましい。図１を参照して説明したものと同様のスイッチ１４６を備える制御機構を使用しても良い。ただし、この例では、配線を筐体１１０の外部に通す必要がないので、外部スイッチ１４６を設けると、他の場合は不要な配線経路を設けなければならなくなる。スイッチ１４６の代わりに、混合装置１４０は、モータ１４３に動力を供給するための、主筐体部品２６０とベース部品２７０が接続しているとき以外は常に開放されるように構成された電気回路を備えても良い。
【００９２】
本例では、主筐体部品２６０及びベース部品２７０のそれぞれの一部分は、主筐体部品２６０とベース部品２７０とがねじ込み式で接続されると、それぞれ係合して電気回路を閉じる電気接点対２６３、２６４及び２７３、２７４を備える。主筐体部品２６０の電気接点２６３、２６４の間には導電体２６５が渡されており、モータ１４３と、バッテリー１４４と、ワイヤ２４５、２４６によってケース２４１内部の部品に接続されたベース部品２６０の接点２７３、２７４とを接続する電気回路を完成させる。
【００９３】
一般に、バッテリー１４４からの電力の供給を制御することによってモータ１４３の作動を制御する他の手段を設けることも望ましい。スイッチ１４６や接点２６３、２６４、２７１、２７２からなる機構によって簡易な制御部が得られるが、他の例では、制御装置（図示せず）を筐体内に埋め込んで、バッテリー１４４をモータ１４３に接続する電気回路内に設けても良い。
【００９４】
制御装置の様々な構成を使用することができる。例えば、混合装置１４０は一つ以上のセンサを備え、制御装置は、モータ１４３を作動させるべきかどうか判断するために、一つ以上のセンサからの入力を処理するように構成されていても良い。
【００９５】
一例として、混合装置１４０は方位センサを備え、制御部は、手術用吸引装置２００が所定の方位に保持されたらモータ１４３に電源を投入するように構成されていても良い。例えば、チップ１２０が水平又は筐体１１０から下向きに延びるように手術用吸引装置２００を保持しているときは、モータ１４３を停止状態にしておき、チップ１２０が上向きに延びるように手術用吸引装置２００を保持したら、モータ１４３を作動させるようにしても良い。したがって、使用中、詰まりを発生させる可能性のある物質がチャンバ１１１内に蓄積しているのが観察されたときなどに、使用者は、一時的に手術用吸引装置２００の向きを変えることによって、必要に応じてモータ１４３を作動させることができる。
【００９６】
他の例として、混合装置１４０は、適切に構成された流量センサや圧力センサなど、チャンバ１１１内における物質の存在又は動きを検出するためのセンサを備えても良い。そして、制御部は、不要な物質が検出されたときだけモータ１４３を作動させるようにして、チャンバ１１１内部に物質が無くて混合を行う必要がないときは、混合部材１４１を回転させないように構成しても良い。動き検出など、他の種類の検出を用いても良い。
【００９７】
さらに、制御部は、所定の長さの時間だけ混合部材１４１を動作させるように構成することができる。これは、定期的に又は動きなどの検出に応答して行うことができる。例えば、動きが検出されたら、物質が適切に撹拌されるように、１０秒間又は動きが検出されている間に対応する時間と、追加の１０秒間、モータ１４３を動作させることができる。あるいは、処置の間中、モータ１４３を作動させて作動状態のままにし、バッテリー切れのとき又は主筐体部品２６０とベース部品２７０を分離させたときのみ停止するようにできる。
【００９８】
手術用吸引装置１００は、使い捨て装置として提供することもできるが、装置を滅菌できるようにすることにより再利用に適応させることもできるし、使い捨てと再利用の組み合わせとすることもできる。例えば、チップ１５０は使い捨てとし、筐体１１０と混合装置１４０は滅菌可能に設計しても良い。チップ１５０は安く製造することができ、滅菌した筐体１１０の再利用による患者の汚染のリスクは極めて小さいので、この方法は特に有益である。しかしながら、任意の適当な構成を用いて良いことが理解されよう。
【００９９】
ここで、従来の手術用吸引装置のチャンバに血液及びデブリがたまるもう一つの理由は、処置の間中、流体が装置を絶えず流れるということが必ずしも無いということである。そのため、血液がたまって凝固することになり、装置を詰まらせる可能性がある。
【０１００】
そこで、この問題に少なくとも部分的に対処するようにさらに適応させた手術用吸引装置６００の別の例を図６Ａ、６Ｂに示す。この例が図２Ａ、２Ｂに示す手術用吸引装置２００に類似していることに気が付くであろう。したがって、類似の特徴部分は、類似の参照番号を割り当てられており、類似の機能を有すると理解されるであろう。
【０１０１】
この例では、手術用吸引装置６００は、チャンバ１１１に接続する流入口６９０をさらに備える。特に、流入口６９０は、筐体１１０の壁を貫通する流体路６９１を画成しており、使用時に流体のチャンバ１１１内への引き込みを可能にし、それによって、処置の間中、流体が装置を絶えず流れるようにすることができる。これにより、手術用吸引装置６００内の開通性を維持するためのもう一つの機構が得られることが理解されよう。
【０１０２】
図６Ａ、６Ｂに示すように、流入口６９０は、主筐体部品２６０と一体に設けられても良い。流入口６９０は、典型的には、流体源がコネクタ部６９２を介して流入口６９０に接続されるように構成されたコネクタ部６９２を備える。一例として、追加の流体を流体源から供給できるように、配管システム（図示せず）の一端を流体源に接続して、他の一端をコネクタ部６９２を用いて流入口６９０に接続しても良い。流体源は、チャンバ１１１内に引き込むのに適した任意の流体を供給して良い。場合によっては、流体源は、滅菌水又は食塩水を供給しても良い。
【０１０３】
いずれにしても、配管システムによって、血液及びデブリを凝固する前に手術用吸引装置６００から運び出すための、流体源から手術用吸引装置６００を通過する流体の流れが得られる。典型的には、チャンバ１１１を通過する流体の相当量の流れを得るため、流体は、患者からチップ１５０を介して抽出された物質の流れを補うように、吸引により配管システムを介して引き込まれる。そして、抽出された物質と付加された流体は、混合装置１４０を用いてチャンバ１１１内で混合することができ、その結果得られた混合物は、出口１３０を介して手術用吸引装置６００から引き出されることにより、チャンバ１１１から排出される。
【０１０４】
上記の例では、既に手術用吸引装置６００に対して行っている吸引を利用して、流体を流入口６９０を介してチャンバ１１１内へ引き込んでいることが理解されよう。したがって、流体は、圧力をかけて手術用吸引装置６００に供給する必要がない。むしろ、通常は、圧力をかけて流体を供給しないほうが好ましい。圧力をかけて流体を供給すると、流体の流量が吸引源の流体及び抽出されたすべての物質をチャンバから取り除く能力を超えた場合、又は、流体の供給を停止せずに吸引を停止した場合、流体がチップ１５０を通過して手術部位へ向かって逆流してしまうことがあるからである。
【０１０５】
吸引のみを用いて流体をチャンバ１１１内へ引き込むことにより、チャンバ１１１に流入する流体の流量は、吸引能力に合わせて効果的に制限され、それによって、逆流のリスクが取り除かれる。場合によっては、バルブ又は他の流れ制御装置を流入口６９０又は接続された配管システムの一部として設けることにより、チャンバ１１１に流入する流体の流れを制御することもできる。そのような機構により、使用者は、流体をチャンバ１１１に引き込むか否かを選択することが可能になり、そうすることが望ましいときにチャンバ１１１を流体で洗い流すことなどができる。場合によっては、使用者が必要に応じて流体の流量を変えられるようなバルブを設けても良い。
【０１０６】
上記の例では、流入口６９０を筐体１１０の一部として設けたが、他の構成を用いて同様の効果を得ても良いことが理解されよう。例えば、場合によっては、流入口６９０をチップ１５０の一部として設けても良く、チャンバ１１１に加えてチップ１５０の少なくとも一部分における開通性が向上することがある。
【０１０７】
いずれにしても、混合装置１４０と流体流入口６９０とを組み合わせた機構は、血餅及びデブリによる手術用吸引装置６００の閉塞の問題にさらに対処するのに役立つことが理解されよう。
【０１０８】
本明細書及び後に続く特許請求の範囲全体を通して、文脈上他の意味に解すべき場合を除き、「含む（ｃｏｍｐｒｉｓｅ）」という語及び「含む（ｃｏｍｐｒｉｓｅｓ）」や「含む（ｃｏｍｐｒｉｓｉｎｇ）」などの変化形は、明記された完全体あるいは完全体又は工程の集合を含むことを意味するが、他の任意の完全体又は完全体の集合を除外することは意味しないと理解される。
【０１０９】
当業者は、多くの変形及び改良が明らかになることを理解するであろう。当業者に明らかとなるそのような変形及び改良はすべて、広い形態の本発明が既に示した要旨及び範囲に含まれると見なされるべきである。
【図１】
2015536767.tif 000003
【図２Ａ】
2015536767.tif 000004
【図２Ｂ】
2015536767.tif 000005
【図３Ａ】
2015536767.tif 000006
【図３Ｂ】
2015536767.tif 000007
【図４Ａ】
2015536767.tif 000008
【図４Ｂ】
2015536767.tif 000009
【図５Ａ】
2015536767.tif 000010
【図５Ｂ】
2015536767.tif 000011
【図６Ａ】
2015536767.tif 000012
【図６Ｂ】
2015536767.tif 000013
【国際調査報告】
2015536767.tif 000014
2015536767.tif 000015
2015536767.tif 000016
2015536767.tif 000017